(57)【要約】【課題】本発明は、測定作業が容易で、精度の高い測定を可能にしたシート用温度検査治具を提供することを目的とする。【解決手段】シートの検査治具１においては、シートバック２とシートクッション３との隙間Ａに舌片２０を差し込むだけでよいので、作業負担を軽減させることができる。さらに、舌片２０の採用によって、背当て板１１及び座当て板１２を予定された位置に配置させることができるので、背当て板１１に設けられているセンサ１３を、シートバック２の予定された位置に確実に配置させることができ、座当て板１２に設けられているセンサ１４を、シートクッション３の予定された位置に確実に配置させることができる。従って、精度の高い温度測定が可能になり、しかも、短時間での検査を可能にして、作業性をアップさせることができる。特に、流れ作業が必要な出荷時において、このシートの検査治具１は効果的である。【選択図】  図１
2010008251.tif 000002
【特許請求の範囲】
【請求項１】
シートの表面の状態を検査する装置であって、
前記シートの表面に配置可能な載置部と、
前記載置部に設けられて、前記シートの表面の状態を検知するセンサと、
前記載置部を前記シートに位置決めを可能にする位置決め手段と、を備えたことを特徴  とするシートの検査治具。
【請求項２】
前記位置決め手段は、前記シートのシートバックとシートクッションとの隙間に挿入さ  れる舌片であることを特徴とする請求項１記載のシートの検査治具。
【請求項３】
前記位置決め手段は、前記シートのシートバックの頂部に設けられたヘッドレストス    テー挿入口に引っ掛けられるフック部であることを特徴とする請求項１記載のシートの  検査治具。
【発明の詳細な説明】
【技術分野】
【０００１】
本発明は、出荷時又は保守点検時にシートの表面の状態を検査するためのシートの検査治具に関するものである。
【背景技術】
【０００２】
シートクッションやシートバックの表面から空調された空気が噴出されるシート装置が従来から存在する(例えば、特開２００１−３２７３６２)。このシート装置は、空調装置から空気ダクトを介してシートクッション及びシートバック内に空調空気を送り込み、シートクッション及びシートバックに設けられた送風ファンにより、立体メッシュ編み物を通して空調空気をシートクッション及びシートバックの表面から噴出させている。また、シートクッションやシートバック内にヒーター板が内蔵されたシート装置も存在する。
【特許文献１】特開２００１−３２７３６２
【発明の開示】
【発明が解決しようとする課題】
【０００３】
このようなシート装置では、出荷時や保守点検時において、シート表面が制御された適切な温度になっているか否かを検査する必要があるが、従来にあっては、先端に温度センサが設けられた検査治具を、作業者が、シートの表面の所定の位置に当てながら、シートの表面の何カ所かの温度を測定していた。このような測定にあっては、測定場所の決定を作業者の感に頼ることになり、常に一定した場所の測定を困難にし、精度の高い温度測定が困難であり、作業負担を強いるといった問題点もある。更に、シートの表面の温度、湿度を測定するような場合も同様であり、シートの表面の状態を精度高く測定することは困難であった。
【０００４】
本発明は、測定作業が容易で、精度の高い測定を可能にしたシートの検査治具を提供することを目的とする。
【課題を解決するための手段】
【０００５】
以上の目的を達成するための本発明に係るシートの検査治具は、
シートの表面の状態を検査する装置であって、
前記シートの表面に配置可能な載置部と、
前記載置部に設けられて、前記シートの表面の状態を検知するセンサと、
前記載置部を前記シートに位置決めを可能にする位置決め手段と、を備えたことを特徴とする構成である。
【０００６】
このシートの検査治具においては、センサを備えた載置部の採用により、シートの表面に載置部を置くだけでよいので、作業負担を軽減させることができる。さらに、位置決め手段の採用によって、載置部を予定された位置に配置させることができるので、載置部に設けられているセンサをシートの予定された位置に確実に配置させることができる。従って、精度の高い温度測定が可能になり、しかも、短い作業時間での検査を可能にして、作業性をアップさせることができる。特に、流れ作業が必要な出荷時において、本発明に係るシートの検査治具は効果的である。
【０００７】
前記位置決め手段は、前記シートのシートバックとシートクッションとの隙間に挿入される舌片であると好適である。
【０００８】
このような構成を採用すると、舌片をシートバックとシートクッションとの間の隙間に挿入するだけで、載置部をシートに対して位置決めさせながら、載置部をシート表面に簡単に当接させることができるといった優れた効果を有する。
【０００９】
前記位置決め手段は、前記シートのシートバックの頂部に設けられたヘッドレストス    テー挿入口に引っ掛けられるフック部であると好適である。
【００１０】
このような構成を採用すると、フック部をヘッドレストステー挿入口に引っ掛けるだけで、載置部をシートに対して位置決めさせながら、載置部をシート表面に簡単に当接させることができるといった優れた効果を有する。更に、各ヘッドレストステー挿入口は、シートバックの中心線に対して左右対称の位置に設けられているので、載置部の中心線とシートバックの中心線とを一致させ易く、載置部の上下方向及び左右方向の位置決めをも可能にする。
【発明の効果】
【００１１】
本発明によれば、測定作業が容易で、精度の高い測定を可能する。
【発明を実施するための最良の形態】
【００１２】
以下、図面を参照しつつ本発明に係るシートの検査治具、より詳しくはシート用温度検査冶具の好適な実施形態について詳細に説明する。
［第１の実施形態］
図１に示すように、シート装置１にあっては、シートバック２及びシートクッション３の表面２ａ，３ａから温度、湿度制御された空気が噴出され、乗員が快適に着座することができる。このようなシート装置は、出荷時や保守点検時にシートバック２及びシートクッション３の表面２ａ，３ａから予定された温度、湿度の空気が噴出されているか否かの検査が必要である。
【００１３】
そこで、この検査を行うための温度、湿度の一方又は双方の検査治具１０が開発された。この検査治具１０は、シートバック２の表面２ａに当接される背当て板(第１の載置部)１１と、シートクッション３の表面３ａに当接される座当て板(第２の載置部)１２と、背当て板１１に固定されてシートバック２の裏面から露出した第１の温度センサ１３と、座当て板１２に固定されてシートクッション３の裏面から露出した第２の温度センサ１４とから主として構成されている。
【００１４】
軽量化が図られている背当て板１１及び座当て板１２は、樹脂によって形成され、背当て板１１は、座当て板１２に対して鈍角をなすように、下端１１ｂが接着剤によって座当て板１２の表面に固定されている。そして、補強バー１６は、背当て板１１と座当て板１２とを筋交いのように掛け渡し、この構造によって、温度検査治具１０を壊れにくくしている。
【００１５】
また、背当て板１１の遊端及び座当て板１２の遊端には、取手１１ａ，１２ａが設けられ、これによって、温度検査治具１０の取り扱いを容易にしている。また、背当て板１１に設けられた第１の温度センサ１３及び座当て板１２に設けられた第２の温度センサ１４からは、配線が延びて、コネクタを介して評価装置に接続され、この評価装置によって、各温度センサ１３，１４から得られた様々な温度情報を解析することができる。
【００１６】
さらに、温度検知治具１０は、背当て板１１及び座当て板１２の位置決めを可能にする位置決め手段２０が設けられている。この位置決め手段２０は、シートバック２とシートクッション３との隙間Ａに挿入される舌片である。この舌片２０は、座当て板１２の延長部として背当て板１１の裏側へ突出している。
【００１７】
この舌片２０を、シートバック２とシートクッション３との間の隙間Ａに挿入するだけで、背当て板１１及び座当て板１２をシートバック２及びシートクッション３に対して位置決めさせながら、背当て板１１及び座当て板１２をシートバック２の表面２ａ及びシートクッション３の表面３ａに簡単に当接させることができる。
【００１８】
そして、背当て板１１及び座当て板１２の幅は、シートバック２の両側に設けられたサイドサポート２ｃの間隔より僅かに狭くなっているので、背当て板１１の横方向の位置ズレを、左右のサイドサポート２ｃによって防止することができる。
【００１９】
このように、シート用温度検査治具１においては、隙間Ａに舌片２０を差し込むだけでよいので、作業負担を軽減させることができる。さらに、舌片２０の採用によって、背当て板１１及び座当て板１２を予定された位置に配置させることができるので、背当て板１１に設けられている第１の温度センサ１３を、シートバック２の予定された位置に確実に配置させることができ、座当て板１２に設けられている第２の温度センサ１４を、シートクッション３の予定された位置に確実に配置させることができる。従って、精度の高い温度測定が可能になり、しかも、短時間での検査を可能にして、作業性をアップさせることができる。特に、流れ作業が必要な出荷時において、この温度検査治具１は効果的である。
【００２０】
さらに、第１及び第２の載置部１１，１２を板状にしているので、乗員がシート装置１に着座した状態を擬似的に再現することができ、精度の高い温度測定が可能になっている。
［第２の実施形態］
次に第２の実施形態について説明する。なお、第１の実施形態と同一の構成には同一の符号を付して、その説明を省略する。
【００２１】
温度検査治具３０は、シートバック２の表面２ａに当接される背当て板(第１の載置部)３１と、シートクッション３の表面３ａに当接される座当て板(第２の載置部)３２と、背当て板１１に固定されてシートバック２の裏面から露出した第１の温度センサ３３と、座当て板３２に固定されてシートクッション３の裏面から露出した第２の温度センサ３４とから主として構成されている。
【００２２】
軽量化が図られている背当て板３１及び座当て板３２は、樹脂によって形成され、Ｌ字状の帯部３５によって連結されると共に、シートバック２及びシートクッション３の表面形状に倣うような形状を有している。これによって、背当て板３１及び座当て板３２の裏面を、シートバック２及びシートクッション３の表面２ａ，３ａに密着させることができる。
【００２３】
そして、背当て板３１に設けられた第１の温度センサ３３及び座当て板３２に設けられた第２の温度センサ３４からは、配線が延びて、コネクタを介して評価装置に接続され、このパソコンによって、各温度センサ３３，３４から得られた様々な温度情報を解析することができる。
【００２４】
さらに、温度検知治具３０は、背当て板３１及び座当て板３２の位置決めを可能にする位置決め手段４０が設けられている。この位置決め手段４０は、背当て板３１の上端３１ａに固定されたフック部であり、このフック部４０は、シートバック２の頂部に設けられたヘッドレストステー挿入口Ｂに引っ掛けられる。
【００２５】
従って、フック部４０をヘッドレストステー挿入口Ｂに引っ掛けるだけで、背当て板３１及び座当て板３２をシートバック２及びシートクッション３に簡単に当接させることができるといった優れた効果を有する。更に、各ヘッドレストステー挿入口Ｂは、シートバック２の中心線に対して左右対称の位置に設けられているので、背当て板３１の中心線とシートバック２の中心線とを一致させ易く、背当て板３１の上下方向及び左右方向の位置決めをも可能にする。
【００２６】
そして、背当て板３１及び座当て板３２の幅は、シートバック２の両側に設けられたサイドサポート２ｃ間隔より僅かに狭くなっているので、第１及び第２の温度センサ３３，３４が背当て板３１の横方向の位置ズレを、サイドサポート２ｃによっても防止することができる。
【００２７】
このように、シート用温度検査治具３０においては、フック部４０をヘッドレストステー挿入口Ｂに引っ掛けるだけでよいので、作業負担を軽減させることができる。さらに、フック部４０の採用によって、背当て板３１及び座当て板３２を予定された位置に配置させることができるので、背当て板３１に設けられている第１の温度センサ３３を、シートバック２の予定された位置に確実に配置させることができ、座当て板３２に設けられている第２の温度センサ３４を、シートクッション３の予定された位置に確実に配置させることができる。従って、精度の高い温度測定が可能になり、しかも、短時間での検査を可能にして、作業性をアップさせることができる。特に、流れ作業が必要な出荷時において、この温度検査治具３０は効果的である。
【００２８】
さらに、第１及び第２の載置部３１，３２を板状にしているので、乗員がシート装置１に着座した状態を擬似的に再現することができ、精度の高い温度測定が可能になっている。
【００２９】
本発明は、前述した実施形態に限定されるものではない。
【００３０】
例えば、第１及び第２の載置部１１，１２，３１，３２を、フレーム構造にすることで軽量化を図ることができ、作業負担を軽減させることができる。
【００３１】
温度検知治具１０において、背当て板１１と座当て板１２とを蝶番などのヒンジを介して連結することで、シートバック２の倒れ角度に拘わらずシートバック２の温度測定が可能になる。
【００３２】
温度検知治具３０において、背当て板３１及び座当て板３２を平坦に形成してもよい。
【００３３】
温度検知治具３０において、帯部３５を曲げ可能にすることで、シートバック２の倒れ角度に拘わらずシートバック２の温度測定が可能になる。
【００３４】
また、温度以外に湿度などのシート表面の状態を検出する必要がある場合には、前述した実施形態の各温度センサ１３，１４，３３，３４に換えて湿度センサを載置部に取り付けても良い。また、温度センサと湿度センサを併設し、シート表面の温度および湿度を検出してもよい。
【００３５】
また、前述した実施形態においては、シートの表面から温度制御された空気を噴出させたシート装置について説明したが、例えば、シートバックやシートクッションの内部にヒータなどを内蔵したシート装置にも好適に利用できる。
【００３６】
なお、図示する載置部はシートクッション、シートバックの双方に載置するものであるが、シートクッション、シートバックのいずれか一方に設けるものでも良い。  
【図面の簡単な説明】
【００３７】
【図１】本発明に係るシート用温度検査治具の第１実施形態を示す斜視図である。
【図２】本発明に係るシート用温度検査治具の第２実施形態を示す斜視図である。
【符号の説明】
【００３８】
１０，３０…シート用温度検査治具、２…シートバック、２ａ…シートバックの表面、３…シートクッション、３ａ…シートクッションの表面、１１，３１…背当て板（第１の載置部）、１２，３２…座当て板（第２の載置部）、１３，３３…第１の温度センサ、１４，３４…第２の温度センサ、３０…舌片（位置決め手段）、４０…フック部（位置決め手段）、Ａ…隙間、Ｂ…ヘッドレストステー挿入口。
【図１】
2010008251.tif 000003
【図２】
2010008251.tif 000004